(57)【要約】【課題】高速度で移動する無人移動体に対しても、きめ細かい移動方向の指示を迅速且つ簡単に行い得る無人移動体の制御方法を提供する。【解決手段】移動領域内の画像データを取得する遠隔操縦用カメラ１４を搭載した半自律走行車Ｂの移動を携帯型遠隔操縦装置Ａによって制御する方法であって、携帯型遠隔操縦装置Ａは遠隔操縦用カメラ１４で得た画像を映し出すディスプレー４０を有し、携帯型遠隔操縦装置Ａのディスプレー４０の画像上におけるカーソルスティック５１による３点のポイント＆クリック操作入力により、半自律走行車Ｂを旋回させる位置を指示すると共に、旋回位置での旋回方向及び移動距離をベクトルで指示し、半自律走行車Ｂ側において、ディスプレー４０の画像上で指示した画像座標系の旋回位置及び旋回ベクトルを世界座標系に変換させ、変換後の世界座標系の旋回位置及び旋回ベクトルの指示に従って半自律走行車Ｂを移動させる。【選択図】図１
2011170844.tif 000002
【特許請求の範囲】
【請求項１】
移動領域内の画像データを取得する遠隔操縦用カメラを搭載した無人移動体の移動を前記遠隔操縦用カメラによる画像を映し出す表示部を有する遠隔操縦装置を用いてコントロールする無人移動体の制御方法であって、
前記無人移動体側の世界座標系と、前記遠隔操縦装置の表示部における画像座標系との間で互いに座標変換処理可能とした無人移動体の制御方法において、
前記遠隔操縦装置の画像座標系の表示部を介して前記無人移動体を旋回させる位置を指示すると共に、この旋回位置における旋回方向を指示し、
前記遠隔操縦装置の表示部を介して指示した旋回位置及びこの旋回位置における旋回方向に従って世界座標系の該無人移動体を移動させる
ことを特徴とする無人移動体の制御方法。
【請求項２】
前記遠隔操縦装置の表示部の画像上におけるカーソルスティックによる２点以上のポイント＆クリック操作入力により、又は、前記遠隔操縦装置のタッチパネルとした表示部の画像上における線引き操作入力により、前記無人移動体を旋回させる位置を指示すると共に、この旋回位置における旋回方向及び移動距離をベクトルで指示し、前記無人移動体側において、前記遠隔操縦装置の表示部の画像上で指示した画像座標系による旋回位置及び旋回ベクトルを世界座標系に変換させて、この変換後の世界座標系による旋回位置及び旋回ベクトルの指示に従って該無人移動体を移動させる請求項１に記載の無人移動体の制御方法。
【請求項３】
分岐路認識機能を有する無人移動体側で分岐路を認識した段階において、前記無人移動体の移動に伴って更新される前記分岐路毎の情報を世界座標系から画像座標系に座標変換してＩＤとともに前記遠隔操縦装置に送信して、該遠隔操縦装置の表示部に映し出されている画像の前記分岐路上に分岐路候補マークを重ねて表示し、前記遠隔操縦装置のスティック操作により複数の分岐路の中から前記無人移動体を旋回させる位置及びこの旋回位置における旋回方向に合致する分岐路上の前記分岐路候補マークを選択して、この選択した分岐路のＩＤを前記無人移動体に送信し、この送信されたＩＤの分岐路に該無人移動体を移動させる請求項１に記載の無人移動体の制御方法。
【請求項４】
前記無人移動体は、前記遠隔操縦装置から指示された旋回位置及び旋回方向に基づいて移動経路を計画すると共に、この移動経路に応じた移動速度を計画して、これらの計画した移動経路及び移動速度に従って自律移動する請求項１〜３のいずれかに記載の無人移動体の制御方法。
【発明の詳細な説明】
【技術分野】
【０００１】
本発明は、遠隔操縦用カメラを搭載した無人移動体の移動を遠隔操縦する際に用いるのに好適な無人移動体の制御方法に関するものである。
【背景技術】
【０００２】
従来、上記した無人移動体の制御方法としては、例えば、特許文献１に記載された方法が知られており、この無人移動体の制御方法では、ロボットに搭載されたカメラから伝送されてユーザインターフェイスの画面上に映し出されるロボット周辺の画像に対して、ポイント＆クリック操作入力することにより、ロボットが移動すべき方向を指示するようにしている。
【先行技術文献】
【特許文献】
【０００３】
【特許文献１】特表2003-532218号
【発明の概要】
【発明が解決しようとする課題】
【０００４】
ところが、上記した無人移動体の制御方法において、屋内を低速度で移動するような小型の無人移動ロボットの制御に適用した場合には、ポイント＆クリック操作によって数メートル先の目標を指示するだけで、無人移動ロボットを支障なく移動させることができるが、屋外を３０ｋｍ／ｈ程度の高速度で移動する無人車両型ロボットの場合には、例えば、市街地のような右左折の多い場所において、適切な移動方向の指示を迅速に行うことができないという問題を有しており、この問題を解決することが従来の課題となっていた。
【０００５】
本発明は、上記した従来の課題に着目してなされたもので、低速度で移動する無人移動体に対しては勿論のこと、例えば、右左折の多い場所を高速度で移動する無人移動体に対しても、きめ細かい移動方向の指示を迅速且つ簡単に行うことが可能である無人移動体の制御方法を提供することを目的としている。
【課題を解決するための手段】
【０００６】
本発明の請求項１に係る発明は、移動領域内の画像データを取得する遠隔操縦用カメラを搭載した無人移動体の移動を前記遠隔操縦用カメラによる画像を映し出す表示部を有する遠隔操縦装置を用いてコントロールする無人移動体の制御方法であって、前記無人移動体側の世界座標系と、前記遠隔操縦装置の表示部における画像座標系との間で互いに座標変換処理可能とした無人移動体の制御方法において、前記遠隔操縦装置の画像座標系の表示部を介して前記無人移動体を旋回させる位置を指示すると共に、この旋回位置における旋回方向を指示し、前記遠隔操縦装置の表示部を介して指示した旋回位置及びこの旋回位置における旋回方向に従って世界座標系の該無人移動体を移動させる構成としたことを特徴としており、この無人移動体の制御方法の構成を前述した従来の課題を解決するための手段としている。
【０００７】
また、本発明の請求項２に係る無人移動体の制御方法において、前記遠隔操縦装置の表示部の画像上におけるカーソルスティックによる２点以上のポイント＆クリック操作入力により、又は、前記遠隔操縦装置のタッチパネルとした表示部の画像上における線引き操作入力により、前記無人移動体を旋回させる位置を指示すると共に、この旋回位置における旋回方向及び移動距離をベクトルで指示し、前記無人移動体側において、前記遠隔操縦装置の表示部の画像上で指示した画像座標系による旋回位置及び旋回ベクトルを世界座標系に変換させ、この変換後の世界座標系による旋回位置及び旋回ベクトルの指示に従って該無人移動体を移動させる構成としている。
なお、上記したポイント＆クリック操作とは、所望の位置にカーソルを移動させるのに続いて、このカーソルを移動させた位置でクリックして画像上にて指し示す一連の操作のことである。
【０００８】
さらに、本発明の請求項３に係る無人移動体の制御方法は、分岐路認識機能を有する無人移動体側で分岐路を認識した段階において、前記無人移動体の移動に伴って更新される前記分岐路毎の情報を世界座標系から画像座標系に座標変換してＩＤとともに前記遠隔操縦装置に送信して、該遠隔操縦装置の表示部に映し出されている画像の前記分岐路上に分岐路候補マークを重ねて表示し、前記遠隔操縦装置のスティック操作により複数の分岐路の中から前記無人移動体を旋回させる位置及びこの旋回位置における旋回方向に合致する分岐路上の前記分岐路候補マークを選択して、この選択した分岐路のＩＤを前記無人移動体に送信し、この送信されたＩＤの分岐路に該無人移動体を移動させる構成としている。
【０００９】
さらにまた、本発明の請求項４に係る無人移動体の制御方法において、前記無人移動体は、前記遠隔操縦装置から指示された旋回位置及び旋回方向に基づいて移動経路を計画すると共に、この移動経路に応じた移動速度を計画して、これらの計画した移動経路及び移動速度に従って自律移動する構成としている。
【００１０】
ここで、無人移動体に、移動領域内の測距データを取得する測距部を搭載し、この測距部で取得した測距データから移動領域内の移動可能エリアを抽出する機能を持たせてもよく、この際、抽出した移動可能エリア内の障害物を検出する機能も併せて持たせることが望ましい。
【００１１】
このように、移動可能エリアを抽出する機能及び障害物を検出する機能を併せ持つと、分岐路を認識する機能を有することになる。具体的には、移動領域内の、例えば、道路に引かれた白線や停止線等の特徴物、及び、道路内外の障害物の情報をレーザセンサや自律移動用カメラなどの測距部によって取得し、移動可能エリア抽出機能及び障害物検出機能の両機能によって、通行可能な部分とそれ以外の部分とを分別処理することで、分岐路を認識し得ることとなる。
なお、地図情報が利用可能な場合には、ＧＰＳ等のセンサより得られた自己位置情報と地図情報を照合することでも、分岐路を認識し得る。
【００１２】
また、遠隔操縦装置に、移動体との間の通信遅延時間を算出して、この算出した通信遅延時間に基づいて、指示した旋回位置での旋回方向及び移動速度に従った移動の可否を判定する機能を持たせてもよく、この場合、上記指示に従った移動が困難であると判定したときに遠隔操縦装置の表示部における指示操作を無効とする機能を持たせることが望ましい。
【００１３】
本発明の請求項１に係る無人移動体の制御方法において、遠隔操縦装置の表示部には、無人移動体の遠隔操縦用カメラで得た画像が映し出されており、この表示部を介して無人移動体に対してその旋回位置と、この旋回位置における旋回方向を指示する。
【００１４】
無人移動体側では、遠隔操縦装置の表示部を介して指示された旋回位置及びこの旋回位置における旋回方向に従って世界座標系で移動する。
つまり、遠隔操縦装置の表示部を介して行う簡単な操作によって、無人移動体の移動方向をきめ細かく指示し得ることとなり、その結果、例えば、市街地のような右左折の多い場所を３０ｋｍ／ｈ程度の高速度で移動している無人移動体に対しても、移動方向を適切に指示し得ることとなる。
【００１５】
また、本発明の請求項２に係る無人移動体の制御方法では、無人移動体の遠隔操縦用カメラで得た画像が映し出されている遠隔操縦装置の表示部の画像上において、カーソルスティックによる２点以上のポイント＆クリック操作入力を行うことや、タッチパネルとした表示部に映し出される画像上において線引き操作入力を行うことで、無人移動体に対してその旋回位置と、この旋回位置における旋回ベクトル（旋回方向及び移動距離）を指示する。
【００１６】
無人移動体側では、遠隔操縦装置の表示部の画像上で指示された画像座標系による旋回位置及び旋回ベクトルを世界座標系に変換し、この変換後の世界座標系による旋回位置及び旋回ベクトルの指示に従って移動する。
【００１７】
すなわち、無人移動体は、遠隔操縦装置の表示部の画像上でなされたカーソルスティックによる２点以上のポイント＆クリック操作や、線引き操作による旋回位置及び旋回ベクトルの指示に従って移動することとなる。
【００１８】
つまり、無人移動体の移動方向を直感的なしかも簡単な操作によってきめ細かく指示し得ることとなり、その結果、例えば、市街地のような右左折の多い場所を３０ｋｍ／ｈ程度の高速度で移動している無人移動体に対しても、移動方向を適切に指示し得ることとなる。
【００１９】
さらに、本発明の請求項３に係る無人移動体の制御方法では、無人移動体の遠隔操縦用カメラで得た画像が映し出されている遠隔操縦装置の表示部の画像上において、遠隔操縦装置のスティック操作により複数の分岐路の中から無人移動体を進ませたい分岐路上の分岐路候補マークを選択するだけで、この選択したＩＤの分岐路に向けて無人移動体を移動させ得ることとなる。
【００２０】
この分岐路の選択の間、無人移動体は分岐路に時々刻々接近するが、分岐路毎の情報は無人移動体の移動に伴って更新されて、分岐路候補マークは接近する分岐路とともに画像上を移動するため、分岐路の選択を正確且つ短時間で行い得ることとなり、したがって、無人移動体の移動速度を落とす必要がないうえ、操縦性が向上することとなる。
【発明の効果】
【００２１】
本発明の請求項１に係る無人移動体の制御方法では、上記した構成としているので、遠隔操縦装置の表示部を介して行う簡単な操作によって、無人移動体の移動方向をきめ細かく指示することができ、したがって、例えば、市街地のような右左折の多い場所を高速度で移動している無人移動体に対しても、移動方向を適切に指示することが可能であるという非常に優れた効果がもたらされる。
【００２２】
また、本発明の請求項２に係る無人移動体の制御方法では、上記した構成としているので、無人移動体の移動方向を直感的で且つ簡単な操作によってきめ細かく指示することが可能であり、したがって、曲がり角の多い場所を例えば３０ｋｍ／ｈ程度の高速度で移動している無人移動体に対しても、移動方向を適切に指示することができるという非常に優れた効果がもたらされる。
【００２３】
さらに、本発明の請求項３に係る無人移動体の制御方法では、上記した構成としているので、分岐路にさしかかった場合には、簡単な操作で分岐路の選択を正確且つ短時間で行うことができ、その結果、移動速度を落とさずに無人移動体を指示した分岐路に向けて向かわせることが可能であるうえ、操縦性の向上をも実現することができる。
【００２４】
加えて、本発明に係る無人移動体の制御方法では、遠隔操縦装置の例えばジョイスティックによる連続的な指示入力ではなく、離散的な入力になることから、無線通信の遅延や途絶にも対応することが可能であるという非常に優れた効果がもたらされる。
【図面の簡単な説明】
【００２５】
【図１】本発明の一実施例による無人移動体の制御方法の概要を示すシステム構成説明図である。
【図２】図１における無人移動体としての半自律走行車の概略構成説明図である。
【図３】図１における無人移動体の制御機器の接続ブロック図である。
【図４】図１における無人移動体の制御方法に採用される座標変換の概念を示す説明図である。
【図５】図１における無人移動体の車両制御用コンピュータが有する機能を示すブロック図である。
【図６】図１における無人移動体としての半自律走行車のディスプレーに映し出されている分岐路認識画像説明図（ａ）〜（ｄ）である。
【図７】図１における無人移動体としての半自律走行車のディスプレーに映し出されている分岐路認識画像説明図（ａ）〜（ｃ）である。
【図８】図１における無人移動体としての半自律走行車のディスプレーに予約右左折入力用の分岐路候補マークが映し出されている分岐路認識画像説明図（ａ）〜（ｄ）である。
【発明を実施するための形態】
【００２６】
以下、本発明の実施例を図面に基づいて説明する。
図１〜図７は、本発明の一実施例による無人移動体の制御方法を示しており、この無人移動体の制御方法は、図１に示すように、携帯型遠隔操縦装置Ａで、無人移動体Ｂの移動をコントロールするのに用いられるものとなっている。
【００２７】
この実施例において、無人移動体は、自律して走行可能な半自律走行車Ｂであり、図２及び図３に示すように、車両制御用コンピュータ１０及びこの車両制御用コンピュータ１０とＬＡＮ１１を介して接続される自律移動用コンピュータ３０によって制御されるようになっている。
【００２８】
車両制御用コンピュータ１０の入力側には、アンテナ１２と接続する無線ＬＡＮ１３及び遠隔操縦用カメラ１４が入出力回路１５を介して接続されていると共に、位置情報取得用のＧＰＳ１６と、姿勢制御用のバーチカルジャイロ１７と、移動速度測定用の車速パルス１８がシリアル回線を介して接続されている。
【００２９】
また、車両制御用コンピュータ１０の出力側には、モータドライバ２１を介して操舵用アクチュエータ２２及びブレーキ／アクセル用アクチュエータ２３が接続されており、これらのアクチュエータ２２，２３と車輪２４とで駆動ユニット２０を構成している。
【００３０】
車両制御用コンピュータ１０は、ＧＰＳ１６やバーチカルジャイロ１７で取得した各種情報をＬＡＮ１１，無線ＬＡＮ１３及びアンテナ１２を介して携帯型遠隔操縦装置Ａに送信する機能を有していると共に、携帯型遠隔操縦装置Ａから送信される操作情報に基づいて、モータドライバ２１を介して操舵用アクチュエータ２２及びブレーキ／アクセル用アクチュエータ２３を作動、停止させる機能を有している。
【００３１】
一方、自律移動用コンピュータ３０の入力側には、近距離情報取得に適したレーザセンサ（レーザレンジファインダ）３１と、遠距離で且つ広角情報取得に適した自律移動用カメラ３２，３３が接続されており、この自律移動用コンピュータ３０は、取得した近距離情報及び遠距離情報に基づいて、走行可能な経路及び速度を算出し、操舵用アクチュエータ２２及びブレーキ／アクセル用アクチュエータ２３を作動させて自律走行車Ｃに自律走行を行わせる。
【００３２】
この実施例において、遠隔操縦用カメラ１４から取得した画像データは、入出力回路１５を介して車両制御用コンピュータ１０に入力されてデータ圧縮処理された後に、無線ＬＡＮ１３及びアンテナ１２を介して管制局Ａ及び携帯型遠隔操縦装置Ｂに送信されるようにしているが、上記画像データは、車両制御用コンピュータ１０を介さずに遠隔操縦用カメラ１４から直接送信されるようにしてもよい。
【００３３】
携帯型遠隔操縦装置Ａは、半自律走行車Ｂの遠隔操縦用カメラ１４で得た画像を映し出すディスプレー（表示部）４０と、遠隔操作部５０と、車両制御用コンピュータ１０及び自律移動用コンピュータ３０とＬＡＮ１１を介してデータのやり取りをする制御部６０を具備していて、ディスプレー４０は、図示しないＣＰＵやキーボード６１やアンテナ６２とともに制御部６０に組み込まれており、この制御部６０は、操作者Ｐの腰部に装着可能となっている。
【００３４】
一方、遠隔操作部５０は、カーソルスティック５１と、速度指示レバー５２と、制御部６０との間で各種情報の送受信を行う図示しない送受信部と、同じく図示しない操作モード切替スイッチを具備しており、この操作モード切替スイッチは、後述するベクトル指示モードと分岐路選択モードとを切り替えるものとなっている。
【００３５】
カーソルスティック５１は、ベクトル指示モードにおいて、ディスプレー４０の画像上における２点以上のポイント＆クリック操作入力により、半自律走行車Ｂを旋回させる位置を指示すると共に、この旋回位置における旋回方向及び移動距離をベクトルで指示するようになっている。
【００３６】
具体的には、図１に拡大して示すように、ディスプレー４０の画面に映し出されている画像上において、半自律走行車Ｂの現在位置Ｓと、半自律走行車Ｂを旋回させる位置Ｔと、この旋回後に到達する位置Ｕでのカーソルスティック５１によるクリック操作を行うことで、これらの３つの位置Ｓ，Ｔ，Ｕを結んだ移動ルートＲをベクトルで指示するようになっており、半自律走行車Ｂの現在位置Ｓから旋回位置Ｔに至るまでの走行速度は、速度指示レバー５２により周囲の状況を考慮しながら入力されるようになっている。
【００３７】
なお、ディスプレー４０がタッチパネルである場合には、上記したカーソルスティック５１による２点以上のポイント＆クリック操作入力に代えて、ペンや指による画像上での線引き操作入力とすることが可能である。
【００３８】
また、カーソルスティック５１は、分岐路選択モードにおいて、ディスプレー４０に映し出されている画像上で、後に詳述するように、スティックを倒す操作で分岐路候補マークを選択するようになっている。
【００３９】
この携帯型遠隔操縦装置Ａは、操作者Ｐの頭部に装着されて、制御部６０からの画像データを受信して操作者Ｐの眼前で表示する、いわゆるヘッドマウントディスプレー４１を上記ディスプレー４０とは別に有しており、このヘッドマウントディスプレー４１の画像には、上記ディスプレー４０と同様に、ベクトル指示モードでは、カーソルスティック５１による３点（Ｓ，Ｔ，Ｕ）を結んだ半自律走行車Ｂの移動ルートＲが重ねて表示され、一方、分岐路選択モードでは、複数の分岐路候補マークが重ねて表示されるようになっている。
【００４０】
この場合、半自律走行車Ｂに搭載された上記車両制御用コンピュータ１０は、座標変換機能を有しており、ベクトル指示モードでは、携帯型遠隔操縦装置Ａから送信される操作情報、すなわち、携帯型遠隔操縦装置Ａのディスプレー４０の画像上で指示した画像座標系による旋回位置及び旋回ベクトル（位置Ｓ，Ｔ，Ｕ）を世界座標系に変換し、この変換後の世界座標系による旋回位置及び旋回ベクトルの指示に基づいて、モータドライバ２１を介して操舵用アクチュエータ２２及びブレーキ／アクセル用アクチュエータ２３を作動させるようになっている。
【００４１】
一方、分岐路選択モードにおいて、上記車両制御用コンピュータ１０は、半自律走行車Ｂ側のレーザセンサ３１及び自律移動用カメラ３２，３３で得た分岐路の世界座標系位置情報を携帯型遠隔操縦装置Ａのディスプレー４０の画像座標系に変換して、携帯型遠隔操縦装置Ａに時々刻々伝えるようになっている。
【００４２】
ここで、図４に示すように、半自律走行車Ｂの向きを軸とした座標系（Ｘ：進行方向，Ｙ：左，Ｚ：上）の点（Ｘ，Ｙ，Ｚ）、若しくは鳥瞰地図（Ｘ，Ｙ，０）上で観測されたデータが、ディスプレー４０の画像上のどの画素（ｘ，ｙ）に相当するかは、以下の対応画素計算式で求めることができる。
【００４３】
【数１】
2011170844.tif 000003
【００４４】
この際、変数名Ａはカメラパラメータであり、画像上の光軸中心Ｃｘ，Ｃｙ、焦点距離ｆｘ，ｆｙにより、以下のように表される。
【００４５】
【数２】
2011170844.tif 000004
【００４６】
また、Ｒは半自律走行車Ｂの進行軸座標系と遠隔操縦用カメラ１４の画像平面座標系（右：ｘ，下：ｙ，手前：ｚ）とを変換する行列式であり、パラメータＲｘ，Ｒｙ，Ｒｚにより以下のように求まる。
【００４７】
【数３】
2011170844.tif 000005
【００４８】
パラメータＲｘは半自律走行車Ｂと遠隔操縦用カメラ１４との間のロール方向ずれ角度により、また、パラメータＲｙは半自律走行車Ｂからの遠隔操縦用カメラ１４の仰角により、さらに、パラメータＲｚは遠隔操縦用カメラ１４の半自律走行車Ｂからのヨー方向ずれによる回転により、それぞれ以下のようになる。
【００４９】
【数４】
2011170844.tif 000006
【数５】
2011170844.tif 000007
【数６】
2011170844.tif 000008
【００５０】
さらに、ｔは半自律走行車Ｂの中心から見た遠隔操縦用カメラ１４の設置位置であり、半自律走行車Ｂの中心からの遠隔操縦用カメラ１４の設置位置におけるオフセット位置ｔｘ，ｔｙ，ｔｚより、以下のように求まる。
【００５１】
【数７】
2011170844.tif 000009
【００５２】
なお、必要に応じて、ひずみ除去を撮影後の前処理として実施する。その際、遠隔操縦用カメラ１４のひずみパラメータをあらかじめ求めておいてひずみ除去を行う。
【００５３】
また、この実施例において、車両制御用コンピュータ１０は、図５に示すように、上記した座標変換機能に加えて、世界座標系に変換された旋回位置及び旋回ベクトルに基づいて移動経路を計画する経路計画機能と、この移動経路に応じた移動速度を計画する速度計画機能と、これらの計画した移動経路及び移動速度に従って自律移動する自律移動機能を有しているほか、レーザセンサ３１及び自律移動用カメラ３２，３３で取得した測距データから移動領域内の移動可能エリアを抽出するエリア抽出機能や、抽出した移動可能エリア内外の障害物を検出する障害物検出機能や、半自律走行車Ｂが指示された旋回位置に接近したか否かを判定する接近距離判定機能を有している。
【００５４】
このように、エリア抽出機能と障害物検出機能とを併せて有していると、分岐路を認識する機能を有することになる。具体的には、移動領域内の、例えば、道路に引かれた白線や停止線等の特徴物、及び、道路内外の障害物の情報をレーザセンサ３１及び自律移動用カメラ３２，３３によって取得し、移動可能エリア抽出機能及び障害物検出機能の両機能によって、通行可能な部分とそれ以外の部分とを分別処理することで、分岐路を認識し得ることとなる。
なお、地図情報が利用可能な場合には、ＧＰＳ１６のセンサより得られた自己位置情報と地図情報を照合することでも、分岐路を認識し得る。
【００５５】
そして、この実施例において、携帯型遠隔操縦装置Ａの制御部６０は、携帯型遠隔操縦装置Ａと半自律走行車Ｂとの間の通信遅延時間を算出して、この算出した通信遅延時間に基づいて、指示した旋回位置での旋回ベクトルに従った移動の可否を判定する機能、及び、上記指示に従った移動が困難であると判定したときに携帯型遠隔操縦装置Ａのディスプレー４０における指示操作を無効とする機能を有している。
【００５６】
加えて、制御部６０は、半自律走行車Ｂが走行する間に、ＧＰＳ１６やバーチカルジャイロ１７により算出する自己位置の変化に応じて、ディスプレー４０の画像上における旋回位置及び旋回ベクトル（位置Ｓ，Ｔ，Ｕ）、並びに、後述する分岐路候補マークを移動させる機能を有している。
【００５７】
上記した携帯型遠隔操縦装置Ａで、半自律走行車Ｂの移動をベクトル指示モードでコントロールする場合、携帯型遠隔操縦装置Ａのディスプレー４０には、半自律走行車Ｂの遠隔操縦用カメラ１４で得た画像が映し出されており、この画像上においてカーソルスティック５１による３点のポイント＆クリック操作入力を行うことで、半自律走行車Ｂに対して、その現在位置Ｓと、旋回させる位置Ｔと、この旋回後に到達する位置Ｕとを結んだ移動ルートＲをベクトルで指示する。
【００５８】
半自律走行車Ｂの車両制御用コンピュータ１０では、携帯型遠隔操縦装置Ａから送信される指示、すなわち、携帯型遠隔操縦装置Ａのディスプレー４０の画像上で指示した画像座標系による旋回位置及び旋回ベクトル（位置Ｓ，Ｔ，Ｕ）を世界座標系に変換し、この変換後の世界座標系による旋回位置及び旋回ベクトルの指示に従って、モータドライバ２１を介して操舵用アクチュエータ２２及びブレーキ／アクセル用アクチュエータ２３を作動させる。
【００５９】
この半自律走行車Ｂの走行の間、ＧＰＳ１６やバーチカルジャイロ１７により算出する半自律走行車Ｂの位置の変化に応じて、携帯型遠隔操縦装置Ａのディスプレー４０の画像上で指定した旋回位置及び旋回ベクトル（位置Ｓ，Ｔ，Ｕ）も移動する。
【００６０】
つまり、半自律走行車Ｂは、携帯型遠隔操縦装置Ａのディスプレー４０の画像上でなされたカーソルスティック５１による３点のポイント＆クリック操作による旋回位置及び旋回ベクトルの指示に従って移動することとなる。
【００６１】
このように、本実施例に係る制御方法では、半自律走行車Ｂの移動方向を直感的なしかも簡単な操作によってきめ細かく指示し得ることとなり、その結果、例えば、市街地のような右左折の多い場所を３０ｋｍ／ｈ程度の高速度で移動している半自律走行車Ｂに対して、移動方向を適切に指示し得ることとなる。
【００６２】
一方、上記した携帯型遠隔操縦装置Ａで、半自律走行車Ｂの移動を分岐路選択モードでコントロールする場合、上記車両制御用コンピュータ１０のエリア抽出機能と障害物検出機能とを併せて成る分岐路認識機能は、道なり方向のみならず分岐路の世界座標系における位置(分岐路の起点位置及び終点位置)を認識すると共に、この認識した複数の分岐路個々に対して重複しない分岐路ＩＤを付与して、この分岐路ＩＤと分岐路位置から構成される世界座標系の分岐路情報を生成する。この際、走行する半自律走行車Ｂと、認識した分岐路の相対位置とが時々刻々変化しても、分岐路認識機能により同一の分岐路に対しては付与した同一の分岐路ＩＤが割り当てられる。
【００６３】
そして、半自律走行車Ｂに搭載された車両制御用コンピュータ１０が、レーザセンサ３１及び自律移動用カメラ３２，３３で取得した測距データから分岐路を認識した場合、分岐路の世界座標系における位置を用いて、上記した対応画素計算式（数１）により点（Ｘ，Ｙ，Ｚ）から画素（ｘ，ｙ）を演算する処理を行い、分岐路位置を携帯型遠隔操縦装置Ａのディスプレー４０に表示する画像座標系に変換する。
【００６４】
次いで、車両制御用コンピュータ１０は、座標変換を施した後の各分岐路の起点位置（ｘ１，ｙ１）及び終点位置（ｘ２，ｙ２）から分岐路方向θ（＝ｔａｎ−１｛（ｙ２−ｙ１）／（ｘ２−ｘ１）｝）を算出し、認識した全ての分岐路における各分岐路情報、すなわち、分岐路ＩＤ，画像座標系に変換後の分岐路起点位置（ｘ１，ｙ１）及び分岐路方向θを携帯型遠隔操縦装置Ａに送信する。
【００６５】
この携帯型遠隔操縦装置Ａでは、半自律走行車Ｂに搭載された車両制御用コンピュータ１０から画像座標系の分岐路情報を受信しない場合において、この携帯型遠隔操縦装置Ａのディスプレー４０には、図６（ａ）に示すように、分岐路に関する情報は何も表示されず、半自律走行車Ｂは道なりに走行する。
【００６６】
一方、携帯型遠隔操縦装置Ａが半自律走行車Ｂから画像座標系の分岐路情報を受信した場合において、この携帯型遠隔操縦装置Ａの制御部６０は、図６（ｂ）に示すように、半自律走行車Ｂの遠隔操縦用カメラ１４で得た画像が映し出されているディスプレー４０上の分岐路毎に矢羽状の分岐路候補マークＭをそれぞれ重ねて表示する。
【００６７】
この際、矢羽状の分岐路候補マークＭにおける矢尻部位の座標を画像座標系に変換後の分岐路起点位置（ｘ１，ｙ１）とし、分岐路候補マークＭが向く方向を分岐路情報の分岐路方向θとする（図６（ｂ）では、正面方向を０°として、二つの分岐路候補マークＭ１，Ｍ２の向きがそれぞれ約±９０°の場合を示している)。
【００６８】
また、矢羽状の分岐路候補マークＭの大きさは、図６（ｃ）に示すように、分岐路起点位置が半自律走行車Ｂからより遠いもの（ディスプレー４０の画像上でより上方にあるもの、すなわち分岐路候補マークＭ３）を小さく表示することにより、ディスプレー４０を見る操縦者に対して遠近感を与えるようにしている。
【００６９】
そして、交差点やＴ字路やＹ字路や多差路等の一般的な分岐路において、半自律走行車Ｂを道なり方向と認識する方向以外の道、すなわち、分岐路へ進入させたい場合には、携帯型遠隔操縦装置Ａの制御部６０において、ディスプレー４０の画像上に表示している分岐路候補マークＭ（Ｍ１〜Ｍ３）のうち、以下に示すカーソルスティック５１の操作によって、所望する分岐路上に重ねて表示されている分岐路候補マークＭを選択する。
【００７０】
まず、分岐路選択のためのカーソルスティック５１の操作を行っていない場合は、制御部６０において、図６（ｃ）に示すように、全ての分岐路候補マークＭ１〜Ｍ３の色が同一の色、例えば白色で表示される。
【００７１】
ここで、図６（ｄ）に示すように、ディスプレー４０の最下部中央を原点Ｏとし、この原点Ｏから各分岐路候補マークＭ１〜Ｍ３の矢尻部位の起点を結ぶ線と、ディスプレー４０の底辺とが成す角をφとした場合において、分岐路候補マークＭ１〜Ｍ３が選択されていない状態から操縦者がカーソルスティック５１を図示右方向に倒したときには、図７（ａ）に示すように、φの値が最も小さい分岐路候補マークＭ２の色をその他の分岐路候補マークＭ１，Ｍ３の色と異なる色にする強調表示を行うようになっている。
【００７２】
この際、分岐路候補マークＭ１〜Ｍ３が選択されていない状態において、上記とは逆に操縦者がカーソルスティック５１を図示左方向に倒したときには、上記φの値が最も大きい分岐路候補マークＭ１の色を強調表示するようになっている。
【００７３】
つまり、操縦者がカーソルスティック５１を右方向に倒す操作を行う度に、φの値が次に大きい分岐路候補マークの色が強調表示され（図７（ｂ）では分岐路候補マークＭ３の色が分岐路候補マークＭ２に替わって強調表示され）、操縦者がカーソルスティック５１を左方向に倒す操作を行う度に、φの値が次に小さい分岐路候補マークの色が強調表示される。
【００７４】
そして、強調表示された分岐路候補マークＭに付されたＩＤが、現在選択中の分岐路候補となる、すなわち、カーソルスティック５１を右方向に倒す操作を行う度に選択中の分岐路候補が反時計回りに移動し、カーソルスティック５１を左方向に倒す操作を行う度に選択中の分岐路候補が時計回りに移動する。
【００７５】
上記したカーソルスティック５１の倒し操作により、半自律走行車Ｂを向かわせたい分岐路を選択した時点で、遠隔操作部５０の図示しない決定ボタン、あるいは、このカーソルスティック５１の押し込みスイッチを押すと、制御部６０では、この時点で選択されていた分岐路ＩＤを半自律走行車Ｂ側に送信する。
【００７６】
この半自律走行車Ｂの車両制御コンピュータ１０では、携帯型遠隔操縦装置Ａから送信された分岐路ＩＤを受信すると、アンサーバック信号として選択決定された分岐路ＩＤを携帯型遠隔操縦装置Ａに送信し、指定された分岐路に進入する処理を開始する、すなわち、指示に従って、モータドライバ２１を介して操舵用アクチュエータ２２及びブレーキ／アクセル用アクチュエータ２３を作動させる。
【００７７】
携帯型遠隔操縦装置Ａでは、アンサーバック信号を受信すると、例えば、図７（ｃ）に示すように、選択決定した分岐路候補マークＭ３の色を変化させ、操縦者に決定入力が半自律走行車Ｂに受領されたことを通知する。
【００７８】
ここで、携帯型遠隔操縦装置Ａの遠隔操作部５０は、上記したように、携帯型遠隔操縦装置Ａのディスプレー４０における指示操作を無効とする機能（分岐路キャンセルボタン）を有しているので、操縦者が決定ボタンを押して進入したい分岐路を確定後に、分岐路キャンセルボタンを入力した場合において、制御部６０は、一度決定入力した分岐路のキャンセル通知を半自律走行車Ｂに送信する。この半自律走行車Ｂは、キャンセル通知を受信した場合、分岐路への進入を開始していなければキャンセルを受け付け、道なり方向を走行するものとする。
【００７９】
このように、遠隔操縦装置Ａのディスプレー４０の画像上において、上記した簡単なカーソルスティック５１の倒し操作という直感的な操作により、複数の分岐路の中から半自律走行車Ｂを進ませたい分岐路上の分岐路候補マークＭを選択するだけで、この選択したＩＤの分岐路に向けて半自律走行車Ｂを移動させ得ることとなる。
【００８０】
この分岐路の選択の間、半自律走行車Ｂは分岐路に時々刻々接近するが、分岐路毎の情報は半自律走行車Ｂの移動に伴って更新されて、分岐路候補マークＭは接近する分岐路とともに画像上を移動するため、分岐路の選択を正確且つ短時間で行い得ることとなり、したがって、半自律走行車Ｂの移動速度を落とす必要がないうえ、操縦性が向上することとなる。
【００８１】
上記した実施例では、無人移動体が自律して移動可能な半自律走行車Ｂである場合を示したが、無人移動体が完全手動遠隔操縦により走行する走行車であってもよい。
【００８２】
また、上記した実施例では、車両制御用コンピュータ１０が座標変換処理を行っている構成としているが、座標変換処理は車両制御用コンピュータ１０とは異なる別のコンピュータにて行ってもよく、携帯型遠隔操縦装置Ａの制御部６０にて行ってもよい。
【００８３】
さらに、分岐路を選択するためのカーソルスティック５１はジョグダイアルとしてもよく、分岐路候補マークＭの強調表示の方法は、色を変えることによる方法のみならず、マークの形状を変更したり、マークを点灯させたり、マークを点滅させたりするいずれの方法であってもよい。
【００８４】
さらにまた、車両制御用コンピュータ１０のエリア抽出機能と障害物検出機能とを併せて成る分岐路認識機能において、分岐路候補の中に、予約右左折入力用の分岐路ＩＤを割り当てて選択可能としてもよい。予約右左折入力用の分岐路ＩＤには、右折用及び左折用の二つの分岐路ＩＤがあり、右折用の分岐路ＩＤが選択された場合は、半自律走行車Ｂはその時点で最も直近で右に進入可能な分岐路に進入するものとし、左折用の分岐路ＩＤが選択された場合は、半自律走行車Ｂはその時点で最も直近で左に進入できる分岐路に進入するものとする。
【００８５】
図８（ａ）は、予約右左折入力用の分岐路候補マークＭｒをディスプレー４０の画像外の左右に配置した例である。図８（ｂ）は、予約右折入力の分岐路候補マークＭｒｒが選択されている様子を示しており、図８（ｃ）は予約右折が決定ボタンにより入力されて、携帯型遠隔操縦装置Ａが半自律走行車Ｂの車両制御コンピュータ１０からアンサーバック信号を受信し、予約右折入力が確定した状態を示す。図８（ｄ）は、この後、半自律走行車Ｂが走行し、車両制御用コンピュータ１０が右折可能な分岐路を認識した際に、自動的にその分岐路が選択された状態を示している。
【００８６】
事前予約右左折入力用の分岐路候補マークＭｒの選択方法は、遠隔操作部５０に専用のボタンを設けてもよいし、カーソルスティック５１を最初に右または左に倒したときに選択されるようにしてもよい。なお、予約右左折入力用の分岐路候補マークＭｒの表示位置は、ディスプレー４０の画像内に、予約右左折入力用以外の分岐路候補マークＭと重ならない位置に常時表示するようにしてもよい。
【００８７】
さらにまた、上記した実施例では、無人移動体が半自律走行車Ｂである場合を示したが、これに限定されるものではなく、無人移動体が自律歩行するロボットであったり、自律飛行する航空機であったりしてもよいほか、完全手動遠隔操縦により移動するロボットや航空機であったりしてもよい。
【符号の説明】
【００８８】
１４  遠隔操縦用カメラ
４０  ディスプレー（表示部）
５１  カーソルスティック
Ａ  携帯型遠隔操縦装置
Ｂ  半自律走行車（無人移動体）
Ｍ（Ｍ１〜Ｍ３）  分岐路候補マーク
【図１】
2011170844.tif 000010
【図２】
2011170844.tif 000011
【図３】
2011170844.tif 000012
【図４】
2011170844.tif 000013
【図５】
2011170844.tif 000014
【図６】
2011170844.tif 000015
【図７】
2011170844.tif 000016
【図８】
2011170844.tif 000017